(57)【要約】【課題】内容物がこぼれ出ることなしに確実に保管できるブロー成形薄肉容器を提案する。【解決手段】内容物の注出にしたがって充填空間の減容を可能とする薄肉の胴体１を備えたブロー成形薄肉容器において、前記胴体１に、内容物の充填空間につながりそこを通して充填空間内の内容物を排出する注出口２と、この注出口２において切り離し可能に連結して該注出口２を密封するとともにその本体をフックあるいは手摺等４に係止して容器を吊り下げるアーム３を設ける。【選択図】図１
2006298401.tif 000002
【特許請求の範囲】
【請求項１】
内容物の注出にしたがって充填空間の減容を可能とする薄肉の胴体を備えたブロー成形薄肉容器であって、
前記胴体に、内容物の充填空間につながりそこを通して充填空間内の内容物を排出する注出口と、この注出口において切り離し可能に連結して該注出口を密封するとともにその本体部分をフックあるいは手摺等に係止して容器を吊り下げるアームを設けたことを特徴とするブロー成形薄肉容器。
【請求項２】
前記アームはその先端に注出口に着脱自在に嵌り込む封栓用の膨出部を有し、その本体部分に、アームの先端部分の向きを自在に変更する蛇腹を有する、請求項１記載のブロー成形薄肉容器。
【請求項３】
前記胴体は、その底部に内容物の充填を行う充填口を有する、請求項１又は２記載のブロー成形薄肉容器。
【発明の詳細な説明】
【技術分野】
【０００１】
本発明は、内容物の注出にしたがい充填空間の減容を可能としたブロー成形薄肉容器に関するもので、胴体部分の腰折れを起こすことなしに確実に保管しようとするものである。
【０００２】
シャンプーやリンス、液体石鹸、化粧料等を入れる容器の分野では、資源の有効活用、ゴミの減量化を図る観点から合成樹脂をブロー成形することによって所望の形状に形成した薄肉の容器が多用されるようになってきている（例えば、特許文献１参照）。
【特許文献１】特開2004−35064号公報
【０００３】
ところで、従来のこの種の容器は、開封後の容器を密封する、いわゆるリキャップ用の栓を有しておらず、とくに内容物が少なくなると胴体部分が倒れこむ、いわゆる腰折れ状態になるのが避けられないことから注出口を通して内容物がこぼれ出てしまうこともあって容器の保管が難しいところに問題を残していた。
【発明の開示】
【発明が解決しようとする課題】
【０００４】
本発明の課題は、容器をリキャップすることができ、しかも吊り下げによる保管が可能な新規なブロー成形薄肉容器を提案するところにある。
【課題を解決するための手段】
【０００５】
内容物の注出にしたがって充填空間の減容を可能とする薄肉の胴体を備えたブロー成形薄肉容器であって、
前記胴体に、内容物の充填空間につながりそこを通して充填空間内の内容物を排出する注出口と、この注出口において切り離し可能に連結して該注出口を密封するとともにその本体部分をフックあるいは手摺等に係止して容器を吊り下げるアームを設けたことを特徴とするブロー成形薄肉容器である。
【０００６】
上記の構成になるブロー成形薄肉容器においては、前記アームの先端に、該注出口に着脱自在に嵌り込む封栓用の膨出部を設けることができ、その本体部分には、アームの先端部分の向きを自在に変更する蛇腹を設けることができる。また、前記胴体の底部には内容物の充填を行うための充填口を形成する。
【発明の効果】
【０００７】
アームをフックあるいは手摺等に係止することで容器そのものを吊り下げて保管することが可能であり、また、該アームの先端に設けた膨出部を注出口に嵌め込むことによってリキャップすることができるので、胴体の腰折れによって内容物がこぼれ出たり、容器内へのゴミや水の侵入を防止することができる。
【発明を実施するための最良の形態】
【０００８】
以下、図面を参照して本発明をより具体的に説明する。
図１は本発明にしたがうブロー成形薄肉容器の実施の形態を示した図である。図における１は内容物の充填空間を区画形成する容器の胴体である。この胴体１は薄肉であって内容物の注出にしたがって充填空間を減容させることができるようになっている。
【０００９】
また、２は胴体１の上部角部において設けられた注出口、３は胴体１に一体的に成形され該注出口２において切り離し可能に連結するアームである。このアーム３は、胴体１と協働して開口Ｋを形成し、その開口Ｋで図２に示すようにその本体部分をフック４あるいは手摺等に係止することによって容器そのものを吊り下げる。
【００１０】
また、５はアーム３の先端に設けられた封栓用の膨出部、６はアーム３の本体部分に一体的に設けられ該アーム３の先端部分の向きを自在に変更する蛇腹、そして７は胴体１の底部に設けられ内容物を充填空間内へ供給する充填口である。
【００１１】
上記の構成になる容器は、合成樹脂をブロー成形することによって形成することができるもので、注出口２と膨出部５とは破断予定線Ｌを形成する薄肉の連結片によってつながっている。
【００１２】
容器内へ内容物を充填するには、容器を反転させて充填口７を通して内容物を所定量注入し、注入完了後に充填口７の口部を熱等により溶着してその突出部分を容器の内側へ向けて押し込む。
【００１３】
アーム３を引っ張り連結片を破断予定線Ｌに沿って切り離すか、あるいは該破断予定線Ｌを鋏を用いて切断することで容器は開封されることとなり（注出口２を開となる）、図３に示すように、蛇腹６を基点にしてアーム３の先端部の向きを変え容器を傾倒させることで内容物は注出口２を通して効率的に注出される。とくにアーム３の先端部に充填空間につながる開口を設けておくと、この開口を通して容器内の空気を置換することができるので、良好な注出作業が行なえる。
【００１４】
容器の保管に当たっては、アーム３の先端に設けた膨出部５を図４に示す如く注出口２に嵌め込み、次いでアーム３をフックや手摺５に引っ掛ける（図２参照）。
【００１５】
注出口２に内向きのフランジ2aを設け、膨出部５にフランジ2aに引っ掛かる急角度になるテーパー部5aを形成しておくことで膨出部５を注出口２に確実に係止しておくことが可能となる。また、膨出部５にはテーパー部5aにつながる緩やかな角度を有するテーパー部5bを形成しておくことで膨出部５の注出口２への挿入が容易となる（図４参照）。
【００１６】
アーム３は本発明の実施の形態では、本体部分が上に向けて凸となるように湾曲させたものを例として示したが、フックや手摺に係止させておくことができるものであれば、その形状は図示のものに限定されない。
【産業上の利用可能性】
【００１７】
リキャップすることが可能で、かつ、フックや手摺等に引っ掛けることによって保管できる使い勝手のよいブロー成形薄肉容器が提供できる。
【図面の簡単な説明】
【００１８】
【図１】本発明にしたがうブロー成形薄肉容器の実施の形態を側面で示した図である。
【図２】開封した容器の保管状態を示した図である。
【図３】内容物の注出状態を示した図である。
【図４】リキャップをした状態を示した要部拡大図である。
【符号の説明】
【００１９】
１  胴体
２  注出口
2a  内向きのフランジ
３  アーム
４  フック、手摺等
５  膨出部
5a  急角度のテーパー部
5b  緩やかな角度のテーパー部
６  蛇腹
７  充填口
Ｋ  開口
Ｌ  破断予定線
【図１】
2006298401.tif 000003
【図２】
2006298401.tif 000004
【図３】
2006298401.tif 000005
【図４】
2006298401.tif 000006